(57)【特許請求の範囲】
【請求項１】
ワイヤレス受信機であって、
入力無線周波数（ＲＦ）信号を受信するように構成されたミキサと、前記ミキサは、複数のスイッチを備える、前記スイッチのそれぞれは、ゲートおよびソースを備えたトランジスタである、
供給電圧とクロック信号を受信し、前記ミキサ内における、前記スイッチのうちの１つに制御信号を提供するように構成された平衡回路と、前記平衡回路は、前記ゲートのゲート電圧として電荷を受信し、前記トランジスタに前記ゲート電圧を提供するゲート経路に沿って選択的に前記電荷を放散するように構成されたキャパシタを備える、
前記キャパシタが充電している間、前記キャパシタから前記ミキサにおける前記スイッチを切り離すように構成されたトランジスタのペアとを備え、
前記制御信号は、前記トランジスタのソース電圧と前記ゲート電圧との間の電圧差分値による前記クロック信号に従う時に前記ミキサ内における前記スイッチの切り替えをもたらし、前記ソース電圧と前記ゲート電圧との間の前記電圧差分値は、前記スイッチの起動電圧レベルより大きいほぼ所定の電圧値である、ワイヤレス受信機。
【請求項２】
前記平衡回路は、前記キャパシタとインターフェースするトランジスタを制御する第３のクロック信号を生成するために、前記クロック信号を前記クロック信号の逆数と混合するように構成された交差結合電圧混合回路をさらに備える、請求項１に記載のワイヤレス受信機。
【請求項３】
前記キャパシタに接続され、前記クロック信号と供給電圧を受信し、前記キャパシタの電荷を制御するように構成されたＮＭＯＳ／ＰＭＯＳトランジスタ・ペアをさらに備える、請求項１に記載のワイヤレス受信機。
【請求項４】
前記キャパシタは、前記ゲート経路における全ての寄生容量および前記ゲート電荷電圧を適切に供給するようにサイズ決めされる、請求項１に記載のワイヤレス受信機。
【請求項５】
前記所定の電圧値は、前記供給電圧である、請求項１に記載のワイヤレス受信機。
【請求項６】
受信された無線周波数（ＲＦ）信号を局部発振器（ＬＯ）信号と混合する方法であって、
供給電圧とクロック信号を受信することと、
キャパシタを使用して電荷を受信し、選択的に前記電荷を放散することと、ここにおいて、選択的に前記電荷を放散することは、混合スイッチとして機能するトランジスタのゲート経路に沿ってゲート電圧として生じる、
前記トランジスタのソース電圧と前記ゲート電圧との間の電圧差分値による前記クロック信号に従う時に前記混合スイッチを使用して前記ＲＦ信号と前記ＬＯ信号のうちの１つを切り替えることと、
前記キャパシタが充電している間、前記キャパシタから前記混合スイッチを切り離すこととを備え、
前記ソース電圧と前記ゲート電圧との間の前記電圧差分値は、前記混合スイッチの起動電圧レベルより大きいほぼ所定の電圧値である、方法。
【請求項７】
前記キャパシタとインターフェースするトランジスタを制御する第３のクロック信号を生成するために、前記クロック信号を前記クロック信号の逆数と混合することをさらに備える、請求項６に記載の方法。
【請求項８】
前記キャパシタに接続され、前記クロック信号と供給電圧を受信するように構成されたＮＭＯＳ／ＰＭＯＳトランジスタ・ペアを使用して前記キャパシタの電荷を制御することをさらに備える、請求項６に記載の方法。
【請求項９】
前記キャパシタは、前記ゲート経路における全ての寄生容量および前記ゲート電荷電圧を適切に供給するようにサイズ決めされる、請求項６に記載の方法。
【請求項１０】
前記所定の電圧値は、前記供給電圧である、請求項６に記載の方法。
【請求項１１】
受信された無線周波数（ＲＦ）信号を局部発振器（ＬＯ）信号と混合する装置であって、
供給電圧とクロック信号を受信するための手段と、
電荷を受信し、トランジスタのゲートに選択的に前記電荷を放散するための容量性手段と、ここにおいて、選択的に前記電荷を放散することは、前記トランジスタにゲート電圧を提供するゲート経路に沿って前記ゲート電圧として生じる、
前記トランジスタのソース電圧と前記ゲート電圧との間の電圧差分値による前記クロック信号に従う時に前記トランジスタを使用して前記ＲＦ信号と前記ＬＯ信号のうちの１つを切り替えるための手段と、
キャパシタが充電している間、前記キャパシタから前記トランジスタを切り離すための手段とを備え、
前記ソース電圧と前記ゲート電圧との間の前記電圧差分値は、前記トランジスタの起動電圧レベルより大きいほぼ所定の電圧値である、装置。
【請求項１２】
前記容量性手段とインターフェースするトランジスタを制御する第３のクロック信号を生成するために、前記クロック信号を前記クロック信号の逆数と混合するための手段をさらに備える、請求項１１に記載の装置。
【請求項１３】
前記キャパシタの電荷を制御するための手段をさらに備え、前記制御するための手段は、前記容量性手段に接続され、前記クロック信号と供給電圧を受信するように構成されたＮＭＯＳ／ＰＭＯＳトランジスタ・ペアを備える、請求項１１に記載の装置。
【請求項１４】
前記容量性手段は、前記ゲート経路における全ての寄生容量および前記ゲート電荷電圧を適切に供給するようにサイズ決めされる、請求項１１に記載の装置。
【請求項１５】
前記所定の電圧値は前記供給電圧である、請求項１１に記載の装置。
【請求項１６】
コンピュータに請求項１から１０のいずれか１つの請求項に記載の方法を実施させるためのプログラム。
【請求項１７】
受信された無線周波数（ＲＦ）信号を局部発振器（ＬＯ）信号と混合する方法であって、
供給電圧と複数のクロック信号を受信することと、
第３のクロック信号を生成するために２つのクロック信号を組み合わせることと、前記２つのクロック信号は、第１のクロック信号を含み、
前記第３のクロック信号に基づいてトランジスタのゲート電圧経路に沿ったゲート電圧および前記トランジスタのソース電圧経路に沿ったソース電圧を提供することと、前記トランジスタは、混合スイッチとして機能し、
第１のクロック信号に基づいてキャパシタを選択的に充電することと、
前記供給電圧と前記ゲート電圧との間の電圧差および前記複数のクロック信号のうちの少なくとも１つによって表される切り替え時間に対応する時に前記混合スイッチを制御することと、
前記キャパシタが充電している間、前記キャパシタから前記混合スイッチを切り離すことと
を備える、方法。
【発明の詳細な説明】
【技術分野】
【０００１】
[0001]    本開示は、一般的に、電子回路に関し、より具体的には、パッシブ・ミキサ回路（passive mixer circuits）の線形性を改善する技術および回路に関する。
【背景技術】
【０００２】
[0002]    携帯電話および／または近距離通信（ＮＦＣ）デバイスのようなワイヤレス通信デバイスは、典型的に双方向通信をサポートする送信機および受信機を含む。送信機は、ワイヤレス・チャネルを介した送信により適している出力無線周波数（ＲＦ）信号を得るために、送信局部発振器（ＬＯ）信号で出力ベースバンド信号をアップコンバートし得る。受信機は、入力ベースバンド信号を得るために、ワイヤレス・チャネルを介して入力ＲＦ信号を受信し得、受信ＬＯ信号で入力ＲＦ信号をダウンコンバートし得る。
【０００３】
[0003]    受信機は、同相（Ｉ）ミキサおよび受信されたＲＦ信号を直交ダウンコンバートする（quadrature downconvert）直交（Ｑ）ミキサを含み得る。理想的な（ideal）ミキサは、入力信号を歪めずに、１つの周波数から別の周波数に入力信号を簡単に変換する。ミキサは、アクティブまたはパッシブであり得る。
【０００４】
[0004]    ある特定の種類のワイヤレス・デバイスによるＲＦ送信は、比較的大きい搬送波信号の送信を必要とし得る。受信された信号は、場合によっては、比較的大きい搬送波信号と比較的小さい所望の信号または変調信号を含み得る。受信機は、このより小さい所望の変調信号を見分けるのが困難であり得る。ミキサのスイング（mixer swing）は、回路の線形性を低下させるのに十分な大きさであり得、著しいＩ／Ｑ不一致を引き起こし、受信デバイスにおいて分解能の悪い信号をもたらす。
【０００５】
[0005]    パッシブ・ミキサのような従来のミキサは、遭遇する（encountered）信号レベルに応じて切り替える一連のスイッチが用いられる。単一平衡ミキサ（single balanced mixer）および二重平衡ミキサ（double balanced mixer）のような、２つの一般的な種類のパッシブ・ミキサが用いられる。各種類のパッシブ・ミキサは、入力信号が比較的大きい搬送波信号と比較的小さい変調信号を含む場合、適切な時間で切り替えることができないことに悩まされる。
【０００６】
[0006]    従って、大きい搬送波信号と比較的小さい変調信号の存在下でのパッシブ・ミキサの非線形性を減少または除去する良い性能を備えた受信機が望ましい。
【発明の概要】
【０００７】
[0007]    比較的大きい搬送波信号と比較的小さい変調信号の形で混合信号（mixing signals）を決定するための技術が提供される。一態様において、ミキサは、平衡回路を使用してそれぞれ切り替えられる複数のスイッチを含む。平衡回路は、供給電圧とクロック信号を受信するように構成され、平衡回路は、制御信号をミキサにおけるスイッチに提供する。平衡回路は、ゲート経路に沿ってゲート電圧として電荷（charge）を受信し、選択的に放散する（dissipate）ように構成されたキャパシタを含む。制御信号は、ソース電圧とゲート電圧との間の電圧差分値（voltage difference value）によるクロック信号に従う時にミキサにおけるスイッチの切り替えをもたらし、ここで、ソース電圧とゲート電圧との間の電圧差分値は、スイッチの起動電圧レベル（turn on voltage level）より大きいほぼ所定の電圧値である。
【０００８】
[0008]    この配置におけるソース電圧は入力信号を表し、一方でゲート電圧は制御信号を表す。ソース電圧とゲート電圧との間の電圧差は、供給電圧のような、ほぼ所定の比較的一定の値である。所定の電圧は、ほぼ供給電圧を含む、スイッチの起動電圧より大きい任意の比較的低い値であり得る。
【０００９】
[0009]    本開示の様々な態様および特徴は、以下でさらに詳細に説明される。
【図面の簡単な説明】
【００１０】
【図１】[0010]  図１は、様々なワイヤレス・シナリオで遭遇する典型的な信号を示す。
【図２】[0011]  図２は、理想的なミキサの図である。
【図３】[0012]  図３は、複数のミキサを含む受信機のフロントエンドのブロック図である。
【図４】[0013]  図４は、単一平衡ミキサの一実施形態を示す。
【図５】[0014]  図５は、二重平衡ミキサの一実施形態を例示する。
【図６】[0015]  図６は、本設計に従って動作する単一平衡ミキサである。
【図７】[0016]  図７は、本設計に従って動作する二重平衡ミキサを示す。
【図８】[0017]  図８は、本設計に従って用いられる平衡回路の一実施形態である。
【図９】[0018]  図９は、平衡回路の典型的な動作を示す。
【詳細な説明】
【００１１】
[0019]    ここで説明される技術は、ワイヤレス通信デバイス、近距離通信（ＮＦＣ）デバイス、携帯電話、携帯情報端末（ＰＤＡ）、ハンドヘルド・デバイス、ワイヤレス・モデム、ラップトップ・コンピュータ、コードレス電話、Ｂｌｕｅｔｏｏｔｈ（登録商標）デバイス、ブロードキャスト受信機、等、のような、様々な電子デバイスに使用され得る。明確にするために、ＮＦＣデバイスまたは何らかの他のデバイスであり得るワイヤレス通信デバイスのための技術のある特定の態様が以下で説明される。
【００１２】
[0020]    図１は、比較的高い搬送波信号１０２と比較的低い変調信号１０１を含む、ワイヤレス通信で受信される信号を例示する。この配置での送信機は、その搬送波信号が所望の信号を妨害する（jams）という点で、自己妨害器（self-jammer）である。高い搬送波信号１０２は、「遮断器（blocker）」としても知られている。より小さい（所望の）信号１０１は、非常に低い変調指数を有しており、１桁以上（more than one order of magnitude）の信号強度間の比に遭遇するのは珍しいことではない。そのような強い搬送波信号の存在下で、受信機回路は、所望の信号を効果的に、そして線形的に分解するためにタイムリーに切り替えることが困難である。そのような信号の存在下での典型的なミキサ動作は、飽和（saturation）および非線形動作（nonlinear operation）をもたらし、そのような飽和は、受信機における効果的な信号分解能（signal resolution）を禁止する。
【００１３】
[0021]    図２は、本設計で用いられるような理想的なミキサを例示する。図２によると、ミキサ２００はＲＦ信号を受信し、その周波数を異なる周波数に変換しようとする。ミキサ２００は、また、ＬＯ（局部発振器）信号を受信し、ＩＦ（中間周波数）出力を提供する。ＩＦ出力は、理想的には２つの周波数の和と差のみを含むべきである。
【００１４】
[0022]    図３は、送信機３０３および受信機３１０を含むワイヤレス通信デバイス３００の設計のブロック図を示す。一般的に、ワイヤレス・デバイス３００は、任意の数の通信システムと任意の数の周波数帯域に対して任意の数の送信機と任意の数の受信機を含み得る。
【００１５】
[0023]    受信機は、スーパーヘテロダイン・アーキテクチャまたは直接変換アーキテクチャで実現され得る。スーパーヘテロダイン・アーキテクチャでは、入力ＲＦ信号は、例えば、１つのステージでＲＦから中間周波数（ＩＦ）にダウンコンバートされるように、複数のステージでＲＦからベースバンドにダウンコンバートされ、その後、別のステージでＩＦからベースバンドにダウンコンバートされる。ゼロＩＦアーキテクチャとも称される直接変換アーキテクチャでは、入力ＲＦ信号は、１つのステージでＲＦから直接ベースバンドにダウンコンバートされる。スーパーヘテロダインおよび直接変換アーキテクチャは、異なる回路ブロックを使用し得る、および／または異なる要件を有し得る。ここで説明される技術は、スーパーヘテロダインおよび直接変換アーキテクチャの両方に使用され得る。図３に示される設計では、受信機３１０は、直接変換アーキテクチャで実現される。
【００１６】
[0024]    受信経路では、アンテナ３０１は、基地局、人工衛星、および／または他の送信機局から信号を受信し得、受信されたＲＦ信号をＲＦフロントエンド・ユニット３０２に提供し得る。ＲＦフロントエンド・ユニット３０２は、１つ以上のスイッチ、フィルタ、デュプレクサ、ダイプレクサ、バラン、等、を含み得る。フィルタは、指定された周波数範囲の信号コンポーネントをパスし得、この周波数範囲の外側の所望のコンポーネントを減衰させ得る。ダイプレクサは、第１の周波数における受信されたＲＦ信号をアンテナ３０１から受信機３１０にルートし得、第２の周波数における出力ＲＦ信号を送信機３０３からアンテナ３０２にルートし得る。デュプレクサは、同じ周波数上でアンテナ３０１を送信機３０３および受信機３１０に交互に結合し得る。バランは、シングルエンド（single-ended）を差動変換、インピーダンス変換、フィルタリング、等、に提供し得る。図３に示される設計では、ＲＦフロントエンド・ユニット３０２は、シングルエンドまたは差動入力ＲＦ信号を受信機３１０に提供する。
【００１７】
[0025]    受信機３１０内で、ＲＦ信号は、Ｉミキサ３１１およびＱミキサ３１２に提供される。ミキサ３１１は、ＬＯ信号生成器３１３からのＩＰおよびＩＭ信号から成るＩ ＬＯ信号で差動増幅ＲＦ信号をダウンコンバートし得、差動Ｉダウンコンバート信号を提供し得る。データ・プロセッサ３２０に提供され得る差動Ｉ入力ベースバンド信号（Ｉｂｂ）を得るために、差動Ｉダウンコンバート信号は、バンドパス・フィルタ（ＢＰＦ）３１４によって増幅およびフィルタされ得、ローパス・フィルタ３１５によってさらにフィルタされる。同様に、ミキサ３１２は、ＬＯ生成器３１３からのＱＰおよびＱＭ信号から成るＱ ＬＯ信号で差動増幅ＲＦ信号をダウンコンバートし得、差動Ｑダウンコンバート信号を提供し得る。データ・プロセッサ３２０に提供され得る差動Ｑ入力ベースバンド信号（Ｑｂｂ）を得るために、差動Ｑダウンコンバート信号は、ＢＰＦ３１８によって増幅され得、ローパス・フィルタ３１９によってさらにフィルタされ得る。
【００１８】
[0026]    ＬＯ信号生成器３１３は、ＶＣＯ３１６からのＶＩＮＰおよびＶＩＮＭから成る差動入力ＶＣＯ信号を受信し得る。ＬＯ信号生成器３１３は、ミキサ３１１のためにＩ ＬＯ信号を生成し得、ミキサ３１２のためにＱ ＬＯ信号を生成し得る。位相同期ループ（ＰＬＬ）３１７は、所望の周波数を示す周波数制御を受信し得る。この実施形態では、ＰＬＬ３１７は、差動入力ＶＣＯ信号のための所望の周波数を得るために、ＶＣＯ３１６のための制御電圧を生成し得る。
【００１９】
[0027]    図３は、受信機３１０の例示的な設計を示す。一般的に、受信機の信号の調整は、１つ以上の増幅器、フィルタ、ミキサ、等によって実行され得る。これら回路ブロックは、シングルエンド信号または差動信号で動作し得る。これら回路ブロックは、また、図３に示される構成とは違って配置され得る。さらに、図３に示されていない他の回路ブロックは、受信機の信号を調整するのに使用され得る。受信機３１０の一部あるいは全ては、１つ以上のＲＦ集積回路（ＲＦＩＣ）、アナログＩＣ、混合信号ＩＣ、等、で実現され得る。ＶＣＯ３１６は、受信機３１０のためのＩＣで実現され得る、またはＩＣの外部にあり得る。
【００２０】
[0028]    データ・プロセッサ３２０は、データ送信および受信のための様々な処理ユニットに加えて他の機能も含み得る。例えば、データ・プロセッサ３２０は、１つ以上のアナログ・デジタル変換器（ＡＤＣ）、デジタル・アナログ変換器（ＤＡＣ）、デジタル・シグナル・プロセッサ（ＤＳＰ）、縮小命令セット・コンピュータ（ＲＩＳＣ）プロセッサ、中央処理装置（ＣＰＵ）、等、を含み得る。コントローラ／プロセッサ３２１は、ワイヤレス・デバイス３００における動作を制御し得る。メモリ３２２は、ワイヤレス・デバイス３００のためのプログラム・コードおよびデータを格納し得る。データ・プロセッサ３２０、コントローラ／プロセッサ３２１、および／またはメモリ３２２は、１つ以上の特定用途向け集積回路（ＡＳＩＣ）および／または他のＩＣで実現され得る。
【００２１】
[0029]    フィールドで用いられるある特定のミキサは、不平衡である。不平衡ミキサは、出力として相当の受信されたＲＦおよびＬＯ信号のレベルを提供し得る。フィルタリングは、時折、そのような信号を取り除くために用いられる。単一平衡ミキサと二重平衡ミキサのような、２種類の平衡ＲＦミキサが開発されてきた。
【００２２】
[0030]    図１のそれと同様の信号を受信することは、単一平衡ミキサと二重平衡ミキサの両方に非線形をもたらし得る。図４は、ワイヤレス受信機で用いられる標準の単一平衡パッシブ・ミキサ配置を例示しており、ここで、電圧入力信号（Ｖｉｎ）は、それぞれ、スイッチ４０１、４０２、４０３、および４０４を使用する、局部発振器（ＬＯ）のＬＯＩ＋、ＬＯＱ＋、ＬＯＩ−、およびＬＯＱ−同相および直交信号に基づいて切り替えられる。示される４つのブランチは、４つのキャパシタ４０５、４０６、４０７、および４０８、並びに４つの負荷抵抗器４０９、４１０、４１１、および４１２を含む。
【００２３】
[0031]    図５は、ある特定の受信機で用いられる標準の二重平衡ミキサの実現を例示する。受信された信号は、ＲＦ＋およびＲＦ−信号を含む。上部の同相（Ｉ）経路は、示されるように、ＬＯＩ＋またはＬＯＩ−のいずれかによってそれぞれ切り替えられるスイッチ５０１Ａと５０１Ｂ、および５０２Ａと５０２Ｂの２つのペアを含む。下部の直交（Ｑ）経路は、示されるように、ＬＯＱ＋またはＬＯＱ−のいずれかによって切り替えられるスイッチ５０３Ａと５０３Ｂ、および、示されるように、ＬＯＱ＋またはＬＯＱ−のいずれかによってさらに切り替えられる５０４Ａと５０４Ｂを含む、同じような配置を含む。また、例示されているのは、キャパシタ５０５、５０６、５０７、および５０８である。
【００２４】
[0032]    図１に示されるそれと同様のＲＦ信号の存在下で図４および５に示される実現から生じ得る非線形を避けるために、本設計は、適切な時間で効果的に、効率的に切り替えるためにミキサで受信されたＲＦおよびＬＯ信号を利用しようとする。本設計は、図４および５に例示されたスイッチを制御するためにミキサにおける平衡回路を用いる。平衡回路の使用は、効果的な線形パッシブ・ミキサ性能を促進し得る。
【００２５】
[0033]    図６は、示されるように、スイッチ６０１、６０２、６０３、および６０４とインターフェースする４つの平衡回路６１３、６１４、６１５、および６１６を含む単一平衡パッシブ・ミキサ回路６００を例示する。抵抗器６０５、６０６、６０７、および６０８、並びにキャパシタ６０９、６１０、６１１、および６１２もまた例示される。図７は、示されるように、スイッチ７０１Ａ、７０１Ｂ、７０２Ａ、７０２Ｂ、７０３Ａ、７０３Ｂ、７０４Ａ、および７０４Ｂとそれぞれインターフェースする、８つの平衡回路７０５Ａと７０５Ｂ、７０６Ａと７０６Ｂ、７０７Ａと７０７Ｂ、および７０８Ａと７０８Ｂを用いる二重平衡パッシブ・ミキサ回路７００を例示する。キャパシタ７０９、７１０、７１１、および７１２は、図５の配置と同様の方法で提供される。図６および図７の両方に示されるように、平衡回路への入力は、同じＬＯＩ＋、ＬＯＱ＋、ＬＯＩ−、およびＬＯＱ−信号である。
【００２６】
[0034]    それぞれの単一平衡または二重平衡パッシブ・ミキサ回路を使用して所望の信号が効果的に分解および混合され得るように、平衡回路は、飽和を制御し、ミキサにおける適切な時間での切り替えをもたらすようサーブする（serves to）。
【００２７】
[0035]    １つの典型的な平衡回路８００が、図８に例示される。他の実現は、状況および所望の性能に応じて実現され得るが、一般的には大きい搬送波信号および小さい変調信号の存在下での正確な切り替えは、平衡回路および正確な切り替えを達成することが望ましい任意の設計から求められる。図８によると、クロック信号ｃｌｋは、単一の位相クロック信号であり、ｃｌｋおよびｃｌｋの逆数、すなわちｃｌｋｂ（clock bar：クロック・バー）の両方は、供給電圧（Ｖｄｄ）に加えて回路８００に提供される。２つの交差結合トランジスタ（cross coupled transistors）８０１Ａおよび８０１Ｂは、ｃｌｋおよびｃｌｋｂ信号をｃｌｋｂＨ（clock bar high：クロック・バー高）に変換する。２つの交差結合トランジスタ８０１Ａおよび８０１Ｂからの出力は、ｃｌｋｂＨの形でトランジスタ８０２に提供される。
【００２８】
[0036]    ｃｌｋｂはインバータ８０３に提供され、示されるようにキャパシタ８０４および８０５が提供されている。ｃｌｋｂ信号は、トランジスタ８０６にも提供される。図８の右側を見ると、２つのトランジスタ経路、すなわちｃｔｏｐおよびｃｂｏｔが、回路８００の内部からゲートおよびソース出力に提供される。ＰＭＯＳトランジスタ８０７およびＮＭＯＳトランジスタ８０８は、トランジスタ８１０および８１１と相互作用する。デュアル・トランジスタ配置は、ｃｌｋが低い場合にＣｂｏｏｔ８０９の電荷を格納し、ｃｌｋが高い場合にゲート経路に沿ってＣｂｏｏｔ８０９からの電荷を放散するようサーブする。ｃｌｋが高い場合、回路は、示されるゲート経路とソース経路との間のＶｄｄの電圧差を維持する。
【００２９】
[0037]    回路８００は、トランジスタ８１０、８１１、および８１２をさらに含み、トランジスタ８１３はＶｄｄによって制御され、一方でトランジスタ８１４はｃｌｋｂによって制御される。
【００３０】
[0038]    動作中、ｃｌｋｂが低い場合、下部のＮＭＯＳトランジスタ８０６は遮断（shut off）され、電荷はｃｔｏｐに格納される。この（ｃｌｋｂが低い）状況でのｃｂｏｔは、入力（ソース）信号に追従する（follows）。ｃｌｋが低くなる場合、トランジスタ８１３および８１４はスイッチのゲートをグラウンド（ground）に放電（discharge）し、図６または図７のスイッチがオフになり、トランジスタ８０３および８０６によって電圧（Ｖｄｄ）がＣｂｏｏｔキャパシタ８０９にわたって印加される。Ｃｂｏｏｔキャパシタ８０９は、そのトップ・プレート（top plate）でゲート出力へのライン（line）を表し、そのボトム・プレート（bottom plate）でソース出力へのラインを表す。Ｃｂｏｏｔキャパシタ８０９は、ｃｌｋが高くなる場合、ゲートおよびソースにわたって電力として作動するため、図６または図７からのスイッチはオンになる。よって、Ｃｂｏｏｔキャパシタ８０９の制御は回路８００の出力を制御し、Ｃｂｏｏｔキャパシタ８０９は受信されたｃｌｋに基づいて交互に充電および放電されるため、図６および図７のスイッチに印加された電圧を制御する。
【００３１】
[0039]    トランジスタ８１０および８１２は、Ｃｂｏｏｔキャパシタ８０９が電荷を蓄積している間、ミキサにおけるスイッチをＣｂｏｏｔキャパシタ８０９から切り離す（isolate）ように作動する。ｃｌｋが高くなる場合、トランジスタ８０８はトランジスタ８０８のゲートを引き戻し（pulls back）、Ｃｂｏｏｔキャパシタ８０９からの電荷がゲートに流れ（flows）、トランジスタ８１２およびミキサ・スイッチの両方がオンになる。図９の下部に示されるように、ｃｌｋが高くなる場合、この配置は、ゲートが受信された入力ＲＦ信号に関係なくＶｄｄによってシフトされるソース（入力電圧）をトラックする（track）ことを可能にする。Ｃｂｏｏｔキャパシタ８０９は、ゲートに電荷を供給するのに十分な容量を有する必要があり、充電経路に必要とされる任意の寄生容量（parasitic capacitances）を供給する。
【００３２】
[0040]    単一平衡パッシブ・ミキサで使用された場合の平衡回路の動作の表示が、図９に例示される。図９によると、プロット（plot）９０１はソース電圧を示す。プロット９０２は、約５２ナノ秒で上昇し、約７０ナノセカンドで低下するｃｌｋ信号を示す。ｃｌｋｂはプロット９０３に示され、ここで、ｃｌｋｂは、ｃｌｋ信号の補数である。プロット９０４は、ｃｌｋｂと同じ一般的なプロファイルを有するｃｌｋｂＨを表すが、異なる電圧レベルを表示している。最後に、プロット９０５は、前述のｃｌｋプロット９０２、ｃｌｋｂプロット９０３、およびｃｌｋｂＨプロット９０４に対応するｃｔｏｐおよびｃｂｏｔ、ならびにソースプロット９０１を示す。ゲート動作は、プロット９０５に例示される。ゲート電圧は、Ｖｄｄ（供給）電圧差またはそれのほぼＶｄｄ電圧差でソース電圧に追従する。ゼロのソース電圧はＶｄｄのゲート電圧を提供し、一方でＶｄｄのソース電圧は、ここで開示される平衡回路を使用して、ほぼ２＊Ｖｄｄのゲート電圧を提供する。
【００３３】
[0041]    一般的に、ソース電圧とゲート電圧との間の電圧差分値は、供給電圧未満またはそれにほぼ等しく、ほぼ所定の電圧値は、スイッチの起動電圧レベルより大きい。言い換えれば、ソース電圧とゲート電圧との間の電圧差は、供給電圧のように、比較的一定の値であり得るが、この値からわずかに外れ（deviate）得る。
【００３４】
[0042]    この配置におけるソース電圧は入力信号を表し、一方でゲート電圧は制御信号を表す。ソース電圧とゲート電圧との間の電圧差は、供給電圧のような、ほぼ所定の比較的一定の値である。所定の電圧は、ほぼ供給電圧を含む、スイッチの起動値より大きい任意の比較的低い値であり得る。
【００３５】
[0043]    プロット９０５に示されるようなプロファイルは、パッシブ・ミキサ回路におけるスイッチをオンまたはオフにするために使用される様々な電圧を提供し、少ないＩ／Ｑ不一致でより多くの線形パッシブ・ミキサをもたらす。パッシブ・ミキサへの入力信号が、受信機で図１に示されるような信号に遭遇する場合のように、スイングする、または高くなる場合、平衡回路からの制御信号もまたスイングするが、確実にスイッチまたは複数のスイッチをオンおよびオフにするために十分な電圧差を維持する。受信された入力信号に関係なく、平衡回路の使用はタイムリーに切り替えることを可能にする。
【００３６】
[0044]    従って、本設計は、比較的小さい変調信号と比較的大きい搬送波信号で構成されているＲＦ信号を受信するように構成されたミキサを有するワイヤレス受信機を含む。ミキサは複数のスイッチを含む。設計は、供給電圧とクロック信号を受信し、ミキサにおけるスイッチに制御信号を提供するように構成された平衡回路をさらに含む。平衡回路は、ゲート経路に沿ってゲート電圧として電荷を受信し、選択的に放散するように構成されたキャパシタを含む。制御信号は、ソース電圧と前記ゲート電圧との間の電圧差分値によるクロック信号に従う時にミキサにおけるスイッチの切り替えをもたらし、ここで、ソース電圧とゲート電圧との間の電圧差分値は、供給電圧未満またはそれにほぼ等しい。平衡回路は、キャパシタとインターフェースするトランジスタを制御する第３のクロック信号を生成するために、クロック信号をクロック信号の逆数と混合するように構成された交差結合電圧混合回路（cross-coupled voltage mixing circuit）に加えて、キャパシタに結合され、クロック信号および供給電圧を受信し、キャパシタの電荷を制御するように構成されたＮＭＯＳ／ＰＭＯＳトランジスタ・ペアをさらに含む。トランジスタのペアは、キャパシタが充電している間、キャパシタからミキサのスイッチを切り離すために用いられ得、キャパシタは、ゲート経路における全ての寄生容量およびゲート電荷電圧を適切に供給するようにサイズ決め（sized to）され得る。
【００３７】
[0045]    ここで説明される技術または回路を実現する装置は、独立型（stand-alone）デバイスであり得、またはより大きなデバイスの一部分であり得る。デバイスは、（i）独立型ＩＣ、（ii）データおよび／または命令を格納するためのメモリＩＣを含み得る１つ以上のＩＣのセット、（iii）ＲＦ受信機（ＲＦＲ）またはＲＦ送信機／受信機（ＲＴＲ）のようなＲＦＩＣ、（iv）移動局モデム（ＭＳＭ）のようなＡＳＩＣ、（v）他のデバイス内に組み込まれ得るモジュール、（vi）受信機、携帯電話、ワイヤレス・デバイス、ハンドセット、またはモバイルユニット、（vii）その他、であり得る。
【００３８】
[0046]    １つ以上の例示的な設計において、説明された機能は、ハードウェア、ソフトウェア、ファームウェア、またはそれらの任意の組み合わせで実現され得る。ソフトウェアで実現された場合、この機能は、コンピュータ可読媒体上の１つ以上の命令またはコードとして記憶または送信され得る。コンピュータ可読媒体は、１つの場所から別の場所へのコンピュータプログラムの転送を容易にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置、または他の磁気記憶デバイス、または、命令またはデータ構造の形で所望のプログラム・コードを搬送または記憶するために使用され得、コンピュータによってアクセスされ得る任意の他の媒体を含み得る。また、任意の接続は、厳密にはコンピュータ可読媒体と呼ばれる。例えば、ソフトウェアが、同軸ケーブル、光ファイバー・ケーブル、ツイスト・ペア、デジタル加入者回線（ＤＳＬ）、または赤外線、電波、およびマイクロ波のようなワイヤレス技術を使用して、ウェブサイト、サーバ、または他の遠隔ソースから送信される場合、この同軸ケーブル、光ファイバー・ケーブル、ツイスト・ペア、ＤＳＬ、または赤外線、電波、およびマイクロ波のようなワイヤレス技術は、媒体の定義に含まれる。ここで使用される、ディスク（Disk）とディスク（disc）は、コンパクト・ディスク（ＣＤ）、レーザ・ディスク、光学ディスク、デジタル・バーサタイル・ディスク（ＤＶＤ）、フロッピー（登録商標）ディスク、およびブルーレイディスクを含み、ディスク（Disk）は、しばしばデータを磁気的に再生し、ディスク（disc）は、データをレーザで光学的に再生する。上記の組み合わせもまた、コンピュータ可読媒体の範囲内に含まれるべきである。
【００３９】
[0047]    本開示の先の説明は、本開示を製造または使用することをいずれの当業者にも可能にさせるために提供される。本開示への様々な修正は、当業者にとって容易に明らかであり、ここで定義された一般的な原理は、本開示の範囲から逸脱することなく、他のバリエーションにも適用され得る。従って、本開示は、ここで説明された例および設計に限定されることを意図するものではなく、ここで開示された原理および新規な特徴と一致する最も広い範囲が与えられるべきである。
以下に、出願当初の特許請求の範囲に記載された発明を付記する。
［Ｃ１］
ワイヤレス受信機であって、
比較的小さい変調信号と比較的大きい搬送波信号を備える入力無線周波数（ＲＦ）信号を受信するように構成されたミキサと、前記ミキサは、複数のスイッチを備える、
供給電圧とクロック信号を受信し、前記ミキサにおけるスイッチに制御信号を提供するように構成された平衡回路と、前記平衡回路は、ゲート経路に沿ってゲート電圧として電荷を受信し、選択的に放散するように構成されたキャパシタを備える、
を備え、
ここにおいて、前記制御信号は、ソース電圧と前記ゲート電圧との間の電圧差分値による前記クロック信号に従う時に前記ミキサにおける前記スイッチの切り替えをもたらし、前記ソース電圧と前記ゲート電圧との間の前記電圧差分値は、前記スイッチの起動電圧レベルより大きいほぼ所定の電圧値である、ワイヤレス受信機。
［Ｃ２］
前記平衡回路は、前記キャパシタとインターフェースするトランジスタを制御する第３のクロック信号を生成するために、前記クロック信号を前記クロック信号の逆数と混合するように構成された交差結合電圧混合回路をさらに備える、Ｃ１に記載のワイヤレス受信機。
［Ｃ３］
前記キャパシタに接続され、前記クロック信号と供給電圧を受信し、前記キャパシタの電荷を制御するように構成されたＮＭＯＳ／ＰＭＯＳトランジスタ・ペアをさらに備える、Ｃ１に記載のワイヤレス受信機。
［Ｃ４］
前記キャパシタが充電している間、前記キャパシタから前記ミキサにおける前記スイッチを切り離すように構成されたトランジスタのペアをさらに備える、Ｃ１に記載のワイヤレス受信機。
［Ｃ５］
前記キャパシタは、前記ゲート経路における全ての寄生容量および前記ゲート電荷電圧を適切に供給するようにサイズ決めされる、Ｃ１に記載のワイヤレス受信機。
［Ｃ６］
前記所定の電圧値は、前記供給電圧である、Ｃ１に記載のワイヤレス受信機。
［Ｃ７］
受信された無線周波数（ＲＦ）信号を局部発振器（ＬＯ）信号と混合する方法であって、前記ＲＦ信号は、比較的小さい変調信号と比較的大きい搬送波信号を備え、前記方法は、
供給電圧とクロック信号を受信することと、
キャパシタを使用して電荷を受信し、選択的に放散することと、ここにおいて、電荷を選択的に放散することは、ゲート経路に沿ってゲート電圧として生じる、
ソース電圧と前記ゲート電圧との間の電圧差分値による前記クロック信号に従う時に混合スイッチを使用して前記ＲＦ信号と前記ＬＯ信号のうちの１つを切り替えることと、ここにおいて、前記ソース電圧と前記ゲート電圧との間の前記電圧差分値は、前記スイッチの起動電圧レベルより大きいほぼ所定の電圧値である、
を備える、方法。
［Ｃ８］
前記キャパシタとインターフェースするトランジスタを制御する第３のクロック信号を生成するために、前記クロック信号を前記クロック信号の逆数と混合することをさらに備える、Ｃ７に記載の方法。
［Ｃ９］
前記キャパシタに接続され、前記クロック信号と供給電圧を受信するように構成されたＮＭＯＳ／ＰＭＯＳトランジスタ・ペアを使用して前記キャパシタの電荷を制御することをさらに備える、Ｃ7に記載の方法。
［Ｃ１０］
前記キャパシタが充電している間、前記キャパシタから前記混合スイッチを切り離すことをさらに備える、Ｃ７に記載の方法。
［Ｃ１１］
前記キャパシタは、前記ゲート経路における全ての寄生容量および前記ゲート電荷電圧を適切に供給するようにサイズ決めされる、Ｃ７に記載の方法。
［Ｃ１２］
前記所定の電圧値は、前記供給電圧である、Ｃ７に記載の方法。
［Ｃ１３］
受信された無線周波数（ＲＦ）信号を局部発振器（ＬＯ）信号と混合する装置であって、前記ＲＦ信号は、比較的小さい変調信号と比較的大きい搬送波信号を備え、前記装置は、
供給電圧とクロック信号を受信するための手段と、
電荷を受信し、選択的に放散するための容量性手段と、ここにおいて、電荷を選択的に放散することは、ゲート経路に沿ってゲート電圧として生じる、
ソース電圧と前記ゲート電圧との間の電圧差分値による前記クロック信号に従う時に混合スイッチを使用して前記ＲＦ信号と前記ＬＯ信号のうちの１つを切り替えるための手段と、ここにおいて、前記ソース電圧と前記ゲート電圧との間の前記電圧差分値は、前記スイッチの起動電圧レベルより大きいほぼ所定の電圧値である、
を備える、装置。
［Ｃ１４］
前記容量性手段とインターフェースするトランジスタを制御する第３のクロック信号を生成するために、前記クロック信号を前記クロック信号の逆数と混合するための手段をさらに備える、Ｃ１３に記載の装置。
［Ｃ１５］
前記キャパシタの電荷を制御するための手段をさらに備え、前記制御するための手段は、前記容量性手段に接続され、前記クロック信号と供給電圧を受信するように構成されたＮＭＯＳ／ＰＭＯＳトランジスタ・ペアを備える、Ｃ１３に記載の装置。
［Ｃ１６］
前記容量性手段が充電している間、前記容量性手段から前記混合スイッチを切り離すための手段をさらに備える、Ｃ１３に記載の装置。
［Ｃ１７］
前記容量性手段は、前記ゲート経路における全ての寄生容量および前記ゲート電荷電圧を適切に供給するようにサイズ決めされる、Ｃ１３に記載の装置。
［Ｃ１８］
前記所定の電圧値は前記供給電圧である、Ｃ１３に記載の装置。
［Ｃ１９］
受信された無線周波数（ＲＦ）信号を局部発振器（ＬＯ）信号と混合する方法を実行するよう計算デバイスを指示する実行可能なプログラムを記憶した非一時的なコンピュータ可読媒体であって、前記ＲＦ信号は、比較的小さい変調信号と比較的大きい搬送波信号を備え、前記方法は、
供給電圧とクロック信号を受信することと、
キャパシタを使用して電荷を受信し、選択的に放散することと、ここにおいて、電荷を選択的に放散することは、ゲート経路に沿ってゲート電圧として生じる、
ソース電圧と前記ゲート電圧との間の電圧差分値による前記クロック信号に従う時に混合スイッチを使用して前記ＲＦ信号と前記ＬＯ信号のうちの１つを切り替えることと、ここにおいて、前記ソース電圧と前記ゲート電圧との間の前記電圧差分値は、前記スイッチの起動電圧レベルより大きいほぼ所定の電圧値である、
を備える、非一時的なコンピュータ可読媒体。
［Ｃ２０］
前記キャパシタとインターフェースするトランジスタを制御する第３のクロック信号を生成するために、前記クロック信号を前記クロック信号の逆数と混合することをさらに備える、Ｃ１９に記載の非一時的なコンピュータ可読媒体。
［Ｃ２１］
前記キャパシタに接続され、前記クロック信号と供給電圧を受信するように構成されたＮＭＯＳ／ＰＭＯＳトランジスタ・ペアを使用して前記キャパシタの電荷を制御することをさらに備える、Ｃ１９に記載の非一時的なコンピュータ可読媒体。
［Ｃ２２］
前記キャパシタが充電している間、前記キャパシタから前記混合スイッチを切り離すことをさらに備える、Ｃ１９に記載の非一時的なコンピュータ可読媒体。
［Ｃ２３］
前記キャパシタは、前記ゲート経路における全ての寄生容量および前記ゲート電荷電圧を適切に供給するようにサイズ決めされる、Ｃ１９に記載の非一時的なコンピュータ可読媒体。
［Ｃ２４］
前記所定の電圧値は前記供給電圧である、Ｃ１９に記載の非一時的なコンピュータ可読媒体。
［Ｃ２５］
受信された無線周波数（ＲＦ）信号を局部発振器（ＬＯ）信号と混合する方法であって、前記ＲＦ信号は、比較的小さい変調信号と比較的大きい搬送波信号を備え、前記方法は、
供給電圧と複数のクロック信号を受信することと、
第３のクロック信号を生成するために２つのクロック信号を組み合わせることと、
前記第３のクロック信号に基づいてゲート電圧経路に沿ったゲート電圧およびソース電圧経路に沿ったソース電圧を提供することと、
前記第１のクロック信号に基づいてキャパシタを選択的に充電することと、
前記供給電圧と前記ゲート電圧との間の電圧差および前記複数のクロック信号のうちの少なくとも１つによって表される切り替え時間に対応する時に少なくとも１つの混合スイッチを制御することと、
を備える、方法。
【図１】
0005922309.tif 000002
【図２】
0005922309.tif 000003
【図３】
0005922309.tif 000004
【図４】
0005922309.tif 000005
【図５】
0005922309.tif 000006
【図６】
0005922309.tif 000007
【図７】
0005922309.tif 000008
【図８】
0005922309.tif 000009
【図９】
0005922309.tif 000010